(57)【要約】【課題】撮像素子の各画素における電荷のオーバーフローを抑制して、ユーザーの作業効率の低下を抑制できる画像読取装置を提供する。【解決手段】画像読取装置３は、被写体４０の画像を読み取る。画像読取装置３は、白基準部材１９と光沢基準部材１７とを備える。白基準部材１９は、白基準データを生成するための部材である。光沢基準部材１７は、白基準部材１９よりも、入射光に対する鏡面反射光の割合が大きい部材である。【選択図】図２
2014236328.tif 000002
【特許請求の範囲】
【請求項１】
被写体の画像を読み取る画像読取装置であって、
白基準データを生成するための白基準部材と、
前記白基準部材よりも、入射光に対する鏡面反射光の割合が大きい光沢基準部材と
を備える画像読取装置。
【請求項２】
前記光沢基準部材は、前記被写体を載置する面の法線方向に沿って入射光を鏡面反射する面を有する、請求項１に記載の画像読取装置。
【請求項３】
前記光沢基準部材は、曲面形状を有する、請求項１又は請求項２に記載の画像読取装置。
【請求項４】
光を照射する光源と、
前記光源から照射されて前記光沢基準部材に反射された光によって前記光沢基準部材を撮像する撮像素子と、
前記撮像素子によって取得された撮像信号に基づいて前記光源から照射される光の光量を制御する制御部と
をさらに備える請求項１から請求項３のいずれか１項に記載の画像読取装置。
【請求項５】
前記制御部は、前記撮像素子によって取得された前記撮像信号に基づいて前記光源から照射される光の光量を制御した後、ユーザーからの入力に従って、前記光源から照射される光の光量を制御する、請求項４に記載の画像読取装置。
【請求項６】
前記光源は、前記制御部により制御された光量の光を前記白基準部材に照射し、
前記撮像素子は、前記光源から照射されて前記白基準部材に反射された光によって前記白基準部材を撮像し、
前記光源は、前記制御部により制御された光量の光を前記被写体に照射し、
前記撮像素子は、前記光源から照射されて前記被写体に反射された光によって前記被写体を撮像する、請求項４又は請求項５に記載の画像読取装置。
【請求項７】
前記光源は、各々が互いに異なる色の光を発光する複数の発光部を含み、
前記制御部は、前記異なる色ごとに前記撮像素子によって取得された前記撮像信号に基づいて、前記異なる色に対応する前記発光部ごとに光量を制御する、請求項４から請求項６のいずれか１項に記載の画像読取装置。
【請求項８】
画像処理部をさらに備え、
前記光源は、前記制御部により制御された光量の光を前記被写体に照射し、
前記撮像素子は、前記光源から照射されて前記被写体に反射された光によって前記被写体を撮像し、
前記撮像素子によって取得された前記被写体の像を含む撮像信号は、複数の画素信号を含み、
前記画像処理部は、前記画素信号に含まれる複数の色成分に基づく複数の色成分データのうち、少なくとも１つの色成分データが閾値データを超えたことに応じて、前記複数の色成分データを白色を示す濃度データの極限値に設定する、請求項４から請求項７のいずれか１項に記載の画像読取装置。
【請求項９】
請求項１から請求項８のいずれか１項に記載の画像読取装置と、
前記被写体の前記画像を形成する画像形成部と
を備える、画像形成装置。
【請求項１０】
被写体の画像を生成するためのコンピュータープログラムであって、
光源から光が照射された光沢基準部材を撮像素子に撮像させる手順と、
前記撮像素子によって取得された撮像信号に基づいて前記光源の光量を制御する手順と
をコンピューターに実行させ、
前記光沢基準部材は、白基準データを生成するための白基準部材よりも、入射光に対する鏡面反射光の割合が大きい、コンピュータープログラム。
【発明の詳細な説明】
【技術分野】
【０００１】
本発明は、被写体の画像を読み取る画像読取装置、画像形成装置、及びコンピュータープログラムに関する。
【背景技術】
【０００２】
ユーザーは、画像読取装置に、用紙の画像を読み取らせるだけでなく、光沢部分を含む立体物（以下、本明細書において、「光沢物」と記載する。）を読み取らせる場合がある。光沢物は、例えば、キャッシュカード（刻印された文字部分、銀色若しくは金色での塗装部分）、衣服（ボタン、デコレーション部分）、貴金属などである。
【０００３】
画像読取装置により光沢物が読み取られると、光沢物で鏡面反射した強い光が撮像素子（光電変換素子）に入射する。従って、用紙の画像を読み取ることを目的として光源の光量が調整された画像読取装置では、撮像素子の飽和露光量以上の光量の光が入射することになる。その結果、撮像素子の１画素に蓄積できる電荷の容量を超え、電荷が隣接画素へオーバーフローし、読み取った光沢物の画像に異常が発生する。
【０００４】
特許文献１の画像読取装置では、白基準板を読み取った後、光沢物を読み取っている最中に、予め設定された値以上のレベルを有する画素信号が撮像素子から出力されたときに、撮像素子の各画素への電荷蓄積時間を短くする。そして、短くされた電荷蓄積時間で、再び白基準板を読み取り、光沢物の読み取りを再度行う。その結果、画像読取装置は、撮像素子の各画素における電荷のオーバーフローを抑制できる。
【先行技術文献】
【特許文献】
【０００５】
【特許文献１】特開平１０−２００６８９号公報
【発明の概要】
【発明が解決しようとする課題】
【０００６】
しかしながら、特許文献１の画像読取装置では、被写体（読み取り対象物）が複数の光沢部分を有している場合は、予め設定された値以上のレベルを有する画素信号が撮像素子から出力されるたびに、被写体の読み取り動作が繰り返し行われる。特に、被写体の読み取り動作の序盤及び中盤だけでなく、終盤にも光沢部分が存在すると、繰り返し動作の回数だけでなく、繰り返し動作の時間も増加する。その結果、ユーザーの作業効率も低下する。
【０００７】
本発明は上記課題に鑑みてなされたものであり、その目的は、撮像素子の各画素における電荷のオーバーフローを抑制して、ユーザーの作業効率の低下を抑制できる画像読取装置、画像形成装置、及びコンピュータープログラムを提供することにある。
【課題を解決するための手段】
【０００８】
本発明の第１の観点による画像読取装置は、被写体の画像を読み取る。画像読取装置は、白基準部材と、光沢基準部材とを備える。白基準部材は、白基準データを生成するための部材である。光沢基準部材は、前記白基準部材よりも、入射光に対する鏡面反射光の割合が大きい。
【０００９】
本発明の第２の観点による画像形成装置は、本発明の第１の観点による画像読取装置と、画像形成部とを備える。画像形成部は前記被写体の前記画像を形成する。
【００１０】
本発明の第３の観点によるコンピュータープログラムは、被写体の画像を生成するためのコンピュータープログラムである。コンピュータープログラムは、光源から光が照射された光沢基準部材を撮像素子に撮像させる手順と、前記撮像素子によって取得された撮像信号に基づいて前記光源の光量を制御する手順とをコンピューターに実行させる。前記光沢基準部材は、白基準データを生成するための白基準部材よりも、入射光に対する鏡面反射光の割合が大きい。
【発明の効果】
【００１１】
本発明によれば、白基準部材よりも入射光に対する鏡面反射光の割合が大きい光沢基準部材を設けている。被写体（例えば、光沢物）の画像を読み取る前に、光源から光沢基準部材に光を照射する。従って、光沢基準部材からの反射光に基づいて、被写体の画像を読み取る際の光源の光量を制御できる。その結果、被写体の読み取りの繰返し動作を発生させることなく、撮像素子の各画素における電荷のオーバーフローを抑制できるとともに、ユーザーの作業効率の低下を抑制できる。
【図面の簡単な説明】
【００１２】
【図１】本発明の実施形態に係る画像読取装置を備えた画像形成装置の概略構成を示す図である。
【図２】本発明の実施形態に係る画像読取装置の光沢基準部材及び光源の説明図である。
【図３】本発明の実施形態に係る画像読取装置の電気的構成を概略的に示すブロック図である。
【図４】本発明の実施形態に係る画像読取装置が実行する処理を示すフローチャートである。
【図５】本発明の実施形態に係る光沢物読取の前処理を示すフローチャートである。
【図６】（ａ）ＲＧＢバランスを調整していない画素濃度データの説明図である。（ｂ）ＲＧＢバランスを調整した画素濃度データの説明図である。
【図７】本発明の実施形態に係る光沢基準部材の他の例を示す模式図である。
【図８】（ａ）本発明の実施形態に係る光源の他の例を示す模式図である。（ｂ）本発明の実施形態に係る光源のさらに他の例を示す模式図である。
【発明を実施するための形態】
【００１３】
以下、本発明の実施形態について、図面を参照しながら説明する。なお、図中、同一または相当部分については同一の参照符号を付して説明を繰り返さない。
【００１４】
［画像形成装置の構成］
図１は、本発明の実施形態に係る画像読取装置３を備えた画像形成装置１の概略構成を示す図である。画像形成装置１は、本実施形態において複写機である。画像形成装置１は、画像読取装置３と、印刷装置４とを備える。印刷装置４は、定着部５と、画像形成部７と、用紙搬送部９と、給紙部１１とを含む。給紙部１１は、画像形成装置１の下部に設けられる。用紙搬送部９は、給紙部１１の側方に設けられる。画像形成部７は、用紙搬送部９の上方に設けられる。定着部５は、画像形成部７よりも、用紙搬送方向の下流側に設けられる。画像読取装置３は、画像形成部７及び定着部５の上方に設けられる。
【００１５】
画像読取装置３は、被写体カバー１３、コンタクトガラス１５、光沢基準部材１７、及び白基準部材１９を含む。画像読取装置３は、コンタクトガラス１５、光沢基準部材１７、及び白基準部材１９の下方に、光源２１、ミラー２３、キャリッジ２５、ミラー２７、ミラー２９、キャリッジ３１、レンズ３３、撮像素子３５、複数本のワイヤ３７（図１では、便宜上１本のみ図示）、及びドラム３９を含む。
【００１６】
画像読取装置３は、コンタクトガラス１５の上に載置された被写体４０の画像を読み取り、被写体４０の画像データを生成する。被写体４０は、画像読取装置３による読取対象物であり、用紙等の原稿の他、光沢物（光沢部分を含む立体物）及び光沢物以外の立体物を含む。以下、画像読取装置３の詳細を説明する。
【００１７】
まず、光沢基準部材１７について説明する。光沢基準部材１７は、白基準部材１９よりも、入射光に対する鏡面反射光（正反射光）の割合が大きい。鏡面反射とは、鏡の面での反射のように反射の法則に従う光の反射のことである。これに対して、拡散反射とは、鏡面反射を除いた拡散的な光の反射のことである。従って、反射光には、鏡面反射光及び拡散反射光が含まれる。入射光に対する鏡面反射光の割合は、例えば、鏡面反射率又は鏡面光沢度によって表される。鏡面反射率は、鏡面反射において反射放射束の入射放射束に対する比、つまり、鏡面反射において反射光束の入射光束に対する比である（ＪＩＳ  Ｚ  ８７４１）。鏡面光沢度は、規定した光源及び受光器の角度にて鏡面方向に対象物から反射する光束と、所定の屈折率（例えば、１．５６７）のガラスから鏡面方向に反射する光束との比である（ＪＩＳ  Ｋ  ５６００−４−７）。
【００１８】
本実施形態では、画像読取装置３は、通常読取モードと光沢物読取モードとを有する。通常読取モードは、原稿、及び光沢物以外の立体物を読み取るときに選択される。光沢物読取モードは、光沢物を読み取るときに選択される。
【００１９】
画像読取装置３は、光沢物読取モードが選択された場合、光沢基準部材１７の画像を読み取り、読み取った画像に基づいて、光源２１が照射する光の光量を制御する。画像読取装置３は、光源２１から光量が制御された光を白基準部材１９に照射し、白基準データを生成する。また、画像読取装置３は、光源２１を消灯して、黒基準データを取得する。その後、光源２１から光量が制御された光を被写体４０（例えば、光沢物）に照射し、被写体４０の画像を読み取る。
【００２０】
以上のように、本実施形態によれば、画像読取装置３は、白基準部材１９よりも入射光に対する鏡面反射光の割合が大きい光沢基準部材１７を設けている。被写体４０（例えば、光沢物）の画像を読み取る前に、光源２１から光沢基準部材１７に光を照射する。従って、光沢基準部材１７からの反射光に基づいて、被写体４０の画像を読み取る際の光源２１の光量を制御できる。その結果、被写体の読み取りの繰返し動作を発生させることなく、撮像素子３５の各画素（各受光素子）における電荷のオーバーフローを抑制できるとともに、ユーザーの作業効率の低下を抑制できる。
【００２１】
次に、白基準部材１９について説明する。白基準部材１９は、本実施形態では、白基準板である。白基準部材１９は、主走査方向に沿って延びている。白基準部材１９は、シェーディング補正のための白基準データを生成するための部材である。シェーディング補正により、白基準データ及び黒基準データに基づいて、撮像素子３５を構成する各画素（各受光素子）の感度の不均一性、被写体４０に照射した光の光量の不均一性、及び反射光を結像するレンズ３３による結像の不均一性を補正する。
【００２２】
ここで、主走査方向は、Ｙ軸及びＺ軸に垂直なＸ軸に沿った方向である。副走査方向は、Ｙ軸の正方向に沿った方向である。本実施形態では、Ｚ軸に沿った方向は鉛直方向であり、Ｙ軸に沿った方向及びＸ軸に沿った方向は、それぞれ、水平面に沿った方向である。
【００２３】
次に、被写体カバー１３から光学系までを説明する。被写体カバー１３は、画像形成装置１の最上面に配置される。被写体カバー１３は開閉可能である。ユーザーは、被写体カバー１３を開けて、被写体４０をコンタクトガラス１５に載せる。そして、ユーザーは、被写体カバー１３を閉じて、被写体カバー１３で被写体４０を押さえる。
【００２４】
光学系の構造を説明する。光源２１及びミラー２３は、キャリッジ２５に取り付けられている。光源２１及びミラー２３の各々は、主走査方向に沿って延びている。光源２１及びミラー２３は、Ｚ軸に沿った方向に並んで配置される。光源２１は、ミラー２３の上方に配置される。ミラー２７及びミラー２９は、キャリッジ３１に取り付けられる。ミラー２７及びミラー２９の各々は、主走査方向に沿って延びている。
【００２５】
複数本のワイヤ３７の一方端はキャリッジ２５及びキャリッジ３１に取り付けられる。複数本のワイヤ３７の他方端はドラム３９に接続される。ドラム３９は、ステッピングモーターを駆動源として、正逆回転する。その結果、キャリッジ２５及びキャリッジ３１は、副走査方向に沿って自在に移動できる。
【００２６】
光学系における光の経路を説明する。光源２１は、コンタクトガラス１５を介して、被写体４０に光を照射する。本実施形態では、光源２１は、白色光源である。光源２１が照射した光は、被写体４０により反射される。反射光は、ミラー２３、ミラー２７、及びミラー２９により、レンズ３３に導かれる。レンズ３３は、反射光を集光して、撮像素子３５に入力する。撮像素子３５は、入力された反射光をアナログ電気信号に変換する光電変換素子である。つまり、撮像素子３５は、光源２１から照射されて被写体４０に反射された光によって被写体４０を撮像する。本実施形態では、撮像素子３５は、ＣＣＤ（Ｃｈａｒｇｅ  Ｃｏｕｐｌｅｄ  Ｄｅｖｉｃｅ）である。
【００２７】
光学系における走査について説明する。撮像素子３５は、主走査方向に沿ってライン状に配置された複数の画素（複数の受光素子）を含む。また、光源２１は、主走査方向に沿ってライン状に延びている。従って、撮像素子３５は、主走査方向にライン単位で被写体４０を撮像する。光源２１は、ドラム３９の回転に応じて、ホームポジションから副走査方向に移動しながら、被写体４０に光を照射するため、撮像素子３５は、ライン単位の読み取りを副走査方向に連続して繰り返し行って、被写体４０の全体を撮像する。光源２１のホームポジションは、本実施形態では、白基準部材１９の下方の位置である。
【００２８】
ここで、被写体４０からの反射光は、撮像素子３５に入力される前にカラーフィルター（図示せず）によって色分解された後に、撮像素子３５に入力される。本実施形態では、反射光は、複数の異なる色成分に分解される。本実施形態では、反射光は、光の三原色（Ｒ（赤）、Ｇ（緑）、及びＢ（青））に色分解される。従って、撮像素子３５は、ＲＧＢの各々に対して、複数の画素（複数の受光素子）を有する。本実施形態では、Ｒに対応する１画素とＧに対応する１画素とＢに対応する１画素との１セットを１画素とみなす。従って、１画素が、Ｒ成分、Ｇ成分、及びＢ成分を有する。
【００２９】
以上、画像読取装置３について説明した。次に、印刷装置４について説明する。給紙部１１は、複数の給紙カセット６７、及び手差しトレイ４１を含む。給紙カセット６７の各々は、記録媒体である用紙６５を収容する。手差しトレイ４１は、手差しの用紙を供給する。給紙ローラー６３の回転により、複数の給紙カセット６７のうち選択された給紙カセット６７から、用紙６５が１枚ずつ用紙搬送部９に送り出される。手差しトレイ４１には、給紙カセット６７に収容された用紙６５とは異なるサイズの用紙、封筒、又はＯＨＰシート等の記録媒体が載置される。そして、手差しトレイ４１は、載置された記録媒体を用紙搬送部９に送り出す。
【００３０】
用紙搬送部９に送られた用紙６５は、用紙搬送経路６１を経由して画像形成部７に向けて搬送される。画像形成部７は被写体４０の画像を形成する。具体的には、次の通りである。画像形成部７は、電子写真プロセスによって、用紙６５にトナー像を形成する。このため、画像形成部７は、回転可能に支持された感光体４７、帯電部４９、露光部５１、現像部５３、転写部５５、クリーニング部５７、及び除電部５９を含む。帯電部４９、露光部５１、現像部５３、転写部５５、クリーニング部５７、及び除電部５９は、感光体４７の周囲に配置される。
【００３１】
帯電部４９は、高電圧を印加される帯電ワイヤを備える。帯電ワイヤからのコロナ放電によって感光体４７表面に所定電位が与えられると、感光体４７表面が一様に帯電させられる。そして、画像読取装置３によって読み取られた被写体４０の画像データに基づく光が、露光部５１により感光体４７表面に照射されると、感光体４７表面の電位が選択的に減衰され、感光体４７表面に静電潜像が形成される。
【００３２】
次いで、現像部５３が感光体４７表面の静電潜像を現像し、感光体４７表面にトナー像を形成する。用紙６５が感光体４７と転写部５５との間に供給されることにともなって、転写部５５は用紙６５にトナー像を転写する。
【００３３】
トナー像が転写された用紙６５は定着部５に向けて搬送される。定着部５では、用紙６５が加熱及び加圧され、用紙６５上にトナー像が溶融定着される。次いで、トナー像が定着された用紙６５は、排出ローラー対４５によって排出トレイ４３上に排出される。
【００３４】
転写部５５によって用紙６５へトナー像が転写された後、感光体４７表面に残留しているトナーは、クリーニング部５７により除去される。また、感光体４７表面の残留電荷は除電部５９により除去される。そして、感光体４７は帯電部４９によって再び帯電され、以降同様にして画像形成が行われる。
【００３５】
［光沢基準部材及び光源の詳細］
図２は、光沢基準部材１７及び光源２１の説明図である。光沢基準部材１７は、半球よりも小さい、球面形状の一部を有する。また、光沢基準部材１７は、鉛直下方向に向かって湾曲する形状を有する。光沢基準部材１７は、光源２１の発光部７１の位置に依存して、被写体４０が載置される面、つまり、コンタクトガラス１５の表面の法線方向（本実施形態では鉛直方向）に沿って、発光部７１からの入射光を鏡面反射する面を有する。従って、光沢基準部材１７が鏡面反射した反射光７７は、反射部材７３と反射部材７５との間を通って、図１に示したミラー２３、ミラー２７、及びミラー２９に反射されて、レンズ３３を介して、撮像素子３５に入射する。
【００３６】
ここで、水平線に対する発光部７１から光沢基準部材１７への光の照射角度を角度αとする。反射光７７は、鏡面反射するため、発光部７１から光沢基準部材１７への光の入射角度βは、反射光７７の反射角度βと一致する。角度の単位を「度」で表すと、β＝（９０−α）／２である。
【００３７】
光沢基準部材１７は、例えば、金属を研磨することにより、又は合成樹脂若しくはガラスにメッキを施すことにより、白基準部材１９よりも、入射光に対する鏡面反射光の割合が大きくなるように形成される。入射光に対する鏡面反射光の割合が大きい多くの光沢物の読み取りに対応できるように、光沢基準部材１７における入射光に対する鏡面反射光の割合は、極力大きいほうが好ましい。なお、光沢基準部材１７の内部は、空洞であってもよいし、その他の構造を有してもよい。
【００３８】
次に、光源２１について説明する。光源２１は、発光部７１、反射部材７３、及び反射部材７５を含む。発光部７１、反射部材７３、及び反射部材７５の位置関係は固定されている。従って、発光部７１、反射部材７３、及び反射部材７５は、位置関係が固定された状態で、キャリッジ２５に固定され、キャリッジ２５とともに移動する。発光部７１、反射部材７３、及び反射部材７５の各々は、主走査方向に沿って延びている。反射部材７３及び反射部材７５の各々は、断面弧状の曲面形状を有する。
【００３９】
発光部７１は、本実施形態では、ランプである。ランプは、例えば、蛍光管又はＬＥＤ（Ｌｉｇｈｔ  Ｅｍｉｔｔｉｎｇ  Ｄｉｏｄｅ）である。発光部７１は光を発光する。発光部７１は、光源２１の位置に応じて、光沢基準部材１７、白基準部材１９、又は被写体４０に光を照射する。
【００４０】
反射部材７３及び反射部材７５の各々は、発光部７１が発光した光を反射する。反射部材７３及び反射部材７５の各々は、光源２１の位置に応じて、光沢基準部材１７、白基準部材１９、又は被写体４０に反射光を照射する。反射部材７３及び反射部材７５の向きにより、光の照射方向が設定される。反射部材７５は、反射部材７３に対向して配置される。反射部材７５は、発光部７１が発光した光を反射して発光部７１及び反射部材７３とは異なる方向から光沢基準部材１７に照射する。
【００４１】
図２の例では、光沢基準部材１７は、発光部７１から直接入射する光及び反射部材７３から入射する光を鉛直方向に沿って鏡面反射する面を有する。
【００４２】
以上、本実施形態によれば、光沢基準部材１７は、曲面形状を有する。従って、鉛直方向に沿って入射光を鏡面反射する面を簡易に形成できる。また、光沢基準部材１７は、球面形状の一部を有する。従って、光沢基準部材１７を球により形成する場合と比較して、部材量を削減可能で、コストを低減でき、また、省スペースを実現できる。
【００４３】
また、光沢基準部材１７は、鉛直方向に沿って入射光を鏡面反射する面を有する。従って、撮像素子３５は、光沢基準部材１７から強度の高い反射光７７を受光でき、強度の高い反射光７７に基づき光源２１の光量を制御できる。その結果、光沢物を被写体４０とする際に、撮像素子３５の各画素における電荷のオーバーフローを効果的に抑制できる。
【００４４】
［画像読取装置の電気的構成］
以下、図１及び図３を参照して、画像読取装置３の電気的構成を説明する。図３は、画像読取装置３の電気的構成を概略的に示すブロック図である。画像読取装置３は、システムＬＳＩ（Ｌａｒｇｅ  Ｓｃａｌｅ  Ｉｎｔｅｇｒａｔｉｏｎ）１０１、外部メモリー１０３、ステッピングモーター１０５、光量制御回路１０７、光源２１、ＡＦＥ（アナログフロントエンド）１０９、撮像素子３５、及び操作パネル１０４を含む。操作パネル１０４は、画像形成装置１の状態及び各種メッセージを表示するとともに、ユーザーから画像形成装置１への入力を受け付ける。例えば、ユーザーは、操作パネル１０４を操作して、通常読取モードあるいは光沢物読取モードのいずれかを選択する。なお、操作パネル１０４はドライバー等（図示せず）を含む。ステッピングモーター１０５はドライバー等（図示せず）を含む。
【００４５】
システムＬＳＩ１０１は、制御回路１１５（制御部）、内部メモリー１１７、画像処理回路１１９（画像処理部）、及び画像処理メモリー１２１を含む。外部メモリー１０３、内部メモリー１１７、及び画像処理メモリー１２１の各々は、ＲＡＭ、ＲＯＭ、フラッシュメモリー等の半導体メモリーを含んでいてもよい。
【００４６】
制御回路１１５は、外部メモリー１０３又は内部メモリー１１７に格納されたコンピュータープログラムを実行して、画像読取装置３及び印刷装置４の動作を制御するコンピューターである。なお、内部メモリー１１７は、制御回路１１５による作業領域、データ格納領域等としても利用される。以下、制御回路１１５による画像読取装置３の制御を説明する。
【００４７】
制御回路１１５は、外部メモリー１０３又は内部メモリー１１７に格納されたコンピュータープログラムを実行して、操作パネル１０４、ステッピングモーター１０５、光量制御回路１０７、撮像素子３５、ＡＦＥ１０９、及び画像処理回路１１９を制御する。
【００４８】
まず、光沢物読取モードが選択された場合を説明する。制御回路１１５は、光沢基準部材１７を読み取り、光源２１の発光部７１の光量を制御する。具体的には、次の通りである。
【００４９】
読取開始前は、光源２１はホームポジションに位置する。制御回路１１５は、ステッピングモーター１０５を駆動し、ドラム３９を回転させ、光源２１を副走査方向と逆方向に移動させる。制御回路１１５は、光源２１の移動と並行して、光量制御回路１０７を制御し、光源２１から光沢基準部材１７に光を照射する。
【００５０】
光源２１の発光部７１の光量の制御は、例えば、次のようにして実行される。制御回路１１５は、光量制御パラメーターに従って、光量制御回路１０７に発光部７１の光量を制御させる。光量制御パラメーターは、発光部７１が発光する光の光量を制御するためのパラメーターである。本実施形態では、光量制御パラメーターは発光部７１の点灯期間である。つまり、本実施形態では、発光部７１の点灯期間を制御することにより光量が制御される。発光部７１の点灯期間が長いほど光量は増加し、発光部７１の点灯期間が短いほど光量は減少する。
【００５１】
光量制御パラメーターが示す点灯期間は、主走査方向に沿った１ラインの走査期間において、発光部７１が点灯する期間のことである。従って、発光部７１は、副走査方向に移動しながら、光量制御パラメーターが示す点灯期間での発光を周期的に繰り返す。なお、例えば、光量制御パラメーターの初期値は、通常読取モード時の光量制御パラメーター、あるいは前回の光沢物読取モードで設定された光量制御パラメーターである。
【００５２】
以上により、光量制御パラメーターに基づき光量が制御される。以下、光沢物読取モードでの光量制御パラメーターを「光沢物パラメーター」と記載する。次に、光沢物パラメーターの設定方法を具体的に説明するため、図１及び図３を参照して、光源２１の移動、撮像素子３５、ＡＦＥ１０９、及び画像処理回路１１９について説明し、「画素濃度データ」を定義する。
【００５３】
光源２１は、副走査方向と逆方向に移動しながら、光沢基準部材１７に光を照射する。光源２１の移動と並行して、撮像素子３５は、主走査方向での光沢基準部材１７の撮像を副走査方向と逆方向に連続して繰り返し行って、光沢基準部材１７を撮像する。このようにして、撮像素子３５は、光沢基準部材１７に反射された光によって光沢基準部材１７を撮像する。制御回路１１５は、光沢基準部材１７の撮像完了後に、ステッピングモーター１０５を制御して、光源２１をホームポジションに戻す。
【００５４】
撮像素子３５は、光沢基準部材１７からの反射光をアナログ電気信号に変換してＡＦＥ１０９に出力する。撮像素子３５が出力するアナログ電気信号を「撮像信号」と記載する。撮像信号は、複数の画素信号を含む。複数の画素信号の各々は、複数の色成分を含む。本実施形態では、複数の画素信号の各々は、Ｒ（赤）成分、Ｇ（緑）成分、及びＢ（青）成分を含む。制御回路１１５による制御を受けて、ＡＦＥ１０９は、撮像素子３５が出力した撮像信号を増幅し、補正を施して（オフセット補正等）、デジタル電気信号に変換し、システムＬＳＩ１０１に出力する。ＡＦＥ１０９が出力するデジタル電気信号を「撮像データ」と記載する。撮像データは、複数の画素信号に対応する複数の画素データから構成される。
【００５５】
画像処理回路１１９は、制御回路１１５の制御を受けて、ＡＦＥ１０９が出力した撮像データの各画素データを量子化し、画像データを生成し、内部メモリー１１７に格納する。本実施形態では、ＲＧＢの各成分に対して、８ビットで量子化が行われる。従って、画像データに含まれる各画素データにおいて、ＲＧＢの各成分は、０〜２５５の値を取り、濃度（すなわち、輝度）を示す。以下、量子化された画素データを「画素濃度データ」と定義する。
【００５６】
本実施形態では、以上のように、画素濃度データが定義される。次に、画素濃度データに基づく光沢物パラメーターの設定方法を具体的に説明する。
【００５７】
制御回路１１５は、光沢基準部材１７の画像データの全画素濃度データのうち、ピーク値（最大値）ＰＶを示す画素濃度データを取得する。画素濃度データはＲＧＢ成分を有する。従って、例えば、制御回路１１５は、１画素濃度データをＲＧＢの平均値として、全画素濃度データから、ピーク値ＰＶを取得してもよい。また、例えば、制御回路１１５は、１画素濃度データに含まれるＲＧＢの各成分を１画素濃度データとみなし、全画素濃度データからピーク値ＰＶを取得する。
【００５８】
制御回路１１５は、ピーク値ＰＶが規定濃度値（規定輝度値）Ｄに対して±ｘの範囲内になるように光沢物パラメーターを設定し、内部メモリー１１７に保持する。その結果、例えば、光沢物パラメーターは、通常読取モード時よりも発光部７１の光量が減少するように設定される。
【００５９】
なお、規定濃度値Ｄに幅ｘを持たせたのは、次の理由による。環境（例えば、温度、電源の状態）に依存して、撮像素子３５が出力する画素信号にバラツキが発生するため、画素濃度データにもバラツキが発生する。このバラツキを考慮して、幅ｘを設定してもよい。幅ｘは、画素濃度データのバラツキを考慮して、実験的及び／又は経験的に定められる。例えば、画素濃度データのＲＧＢの各成分が０〜２５５の値で表される場合、幅ｘ＝５である。
【００６０】
以上、光沢物パラメーターの設定方法の具体例を説明した。次に、図１及び図３を参照して、白基準データ、黒基準データ、及び画像処理について順番に説明し、その後、通常読取モードでの動作を簡単に説明する。
【００６１】
光沢物パラメーターの設定後、光沢基準部材１７を読み取る場合と同様にして、制御回路１１５は、光沢物パラメーターに基づく光量の下で白基準部材１９を読み取る。画像処理回路１１９は、読み取り結果に基づき白基準データを生成し、画像処理メモリー１２１に格納する。なお、白基準データは、ＲＧＢごとに生成される。
【００６２】
次に、制御回路１１５は、光源２１を消灯して、撮像素子３５に撮像処理を行わせる。画像処理回路１１９は、撮像結果に基づき黒基準データを生成して、画像処理メモリー１２１に格納する。なお、黒基準データは、ＲＧＢごとに生成される。
【００６３】
なお、光沢基準部材１７の撮像データを量子化する際は、画像処理メモリー１２１に格納されている、デフォルトの白基準データ及び黒基準データ、あるいは最新の白基準データ及び黒基準データが使用される。
【００６４】
次に、制御回路１１５は、被写体４０を読み取り、画像処理回路１１９に画像処理を実行させる。具体的には、次の通りである。制御回路１１５は、光沢基準部材１７を撮像する場合と同様にして、ステッピングモーター１０５を制御して、光源２１を移動し、光沢物パラメーターに基づき制御された光量の光を被写体４０（例えば、光沢物）に照射して、撮像素子３５に、被写体４０を撮像させる。そして、画像処理回路１１９は、撮像素子３５及びＡＦＥ１０９を介して、被写体４０の撮像データを取得する。
【００６５】
画像処理回路１１９は、白基準データ及び黒基準データに基づいて、被写体４０の撮像データを量子化し、被写体４０の画像データを生成する（シェーディング補正）。また、画像処理回路１１９は、被写体４０の画像データに対して、他の様々な画像処理（例えば、画像処理メモリー１２１に格納されたγデータに基づくγ補正）を施し、処理後の画像データを外部メモリー１０３に格納する。なお、図１の露光部５１は、被写体４０の画像データに基づく光を感光体４７表面に照射する。従って、印刷装置４は、画像読取装置３が生成した画像データに基づいて、記録媒体上に画像を形成する。
【００６６】
次に、通常読取モードが選択された場合を説明する。通常読取モードでは、画像読取装置３は、光沢基準部材１７に基づく光源２１の光量を制御する処理を実行しない。従って、通常読取モードのために予め設定されている光量制御パラメーターに基づく光量で光を照射するように、光量制御回路１０７は、光源２１の発光部７１を制御する。白基準データの生成処理、黒基準データの取得処理、被写体４０の読取処理、及び画像処理（シェーディング補正、γ補正等）は、光沢物読取モードでのそれぞれの処理と同様であり、説明を省略する。
【００６７】
以上、図１、図２、及び図３を参照して、説明したように、本実施形態に係る画像読取装置３では、光沢物読取モードにおいて、撮像素子３５は、光源２１から照射されて光沢基準部材１７に反射された光によって光沢基準部材１７を撮像する。そして、制御回路１１５は、撮像素子３５によって取得された撮像信号に基づいて光源２１から照射される光の光量を制御する。光源２１は、制御回路１１５により制御された光量の光を被写体４０に照射する。そして、撮像素子３５は、光源２１から照射されて被写体４０に反射された光によって被写体４０を撮像する。
【００６８】
本実施形態によれば、光沢物読取モードにおいて、被写体４０の読み取り動作の開始前に光沢基準部材１７を読み取り、光源２１の光量を制御できるので、その後の被写体４０の読み取り動作も一回で行うことができる。その結果、撮像素子３５の各画素における電荷のオーバーフローを抑制できるとともに、ユーザーの作業効率の低下を抑制できる。また、光沢基準部材１７という簡易な構成で、光量制御のためのハードウェアを構築でき、コストを抑制できる。
【００６９】
また、本実施形態に係る画像読取装置３では、光沢物読取モードにおいて、光源２１は、光沢基準部材１７に基づき制御回路１１５により制御された光量の光を白基準部材１９に照射する。そして、撮像素子３５は、光源２１から照射されて白基準部材１９に反射された光によって白基準部材１９を撮像する。従って、光沢物を被写体４０とする場合に好適な白基準データを生成できる。
【００７０】
［画像読取装置における処理の流れ］
図３及び図４を参照して処理の流れを説明する。図４は、画像読取装置３が実行する光沢物読取処理を示すフローチャートである。光沢物読取処理は、制御回路１１５が外部メモリー１０３又は内部メモリー１１７に格納されたコンピュータープログラムを実行することにより実現される。コンピュータープログラムは、被写体４０の画像を生成するためのコンピュータープログラムである。
【００７１】
ステップＳ１にて、制御回路１１５は、現在のモードが光沢物読取モードか否かを判定する。現在のモードが光沢物読取モードの場合（ステップＳ１でＹｅｓ）、制御はステップＳ３に進む。ステップＳ３、及びステップＳ３より後の処理は、ユーザーがスキャン（あるいはコピー）のスタートボタン（図示せず）を押下したことに応じて開始される。
【００７２】
一方、現在のモードが通常読取モードの場合（ステップＳ１でＮｏ）、制御は、ステップＳ３をスキップして、ステップＳ５に進む。ステップＳ５、及びステップＳ５より後の処理は、ユーザーがスキャン（あるいはコピー）のスタートボタンを押下したことに応じて開始される。
【００７３】
ステップＳ３では、制御回路１１５は、光沢物読取の前処理を実行する。光沢物読取の前処理の完了後、制御はステップＳ５に進む。
【００７４】
図５は、ステップＳ３における光沢物読取の前処理を示すフローチャートである。ステップＳ３１にて、制御回路１１５は、光沢基準部材１７を読み取る。具体的には、次の通りである。制御回路１１５は、ステッピングモーター１０５を制御して、光源２１を移動し、光源２１から光沢基準部材１７に光を照射して、撮像素子３５に、光沢基準部材１７を撮像させる。そして、制御回路１１５は、撮像素子３５、ＡＦＥ１０９、及び画像処理回路１１９を介して、光沢基準部材１７の画像データを取得する。なお、光沢物読取の前処理におけるループの最初のステップＳ３１では、制御回路１１５は、光量制御パラメーターの初期値に基づき、光量制御回路１０７に光源２１の発光部７１の光量を制御させる。２回目及び２回目より後のステップＳ３１では、発光部７１は、ステップＳ３９又はステップＳ４１で制御された光量の光を発光する。
【００７５】
ステップＳ３３にて、制御回路１１５は、光沢基準部材１７の画像データの画素濃度データのうち、ピーク値（最大値）ＰＶを示す画素濃度データを取得する。ステップＳ３５にて、制御回路１１５は、ピーク値ＰＶが所定範囲内か否か、つまり、第１所定値（Ｄ−ｘ）以上第２所定値（Ｄ＋ｘ）以下か否かを判定する。ピーク値ＰＶが所定範囲内であると判定されると（ステップＳ３５でＹｅｓ）、制御回路１１５は、現在の光量制御パラメーターを光沢物パラメーターとして確定し、内部メモリー１１７に格納し、光沢物読取の前処理を終了する。そして、制御は図４のステップＳ５に進む。
【００７６】
一方、ピーク値ＰＶが所定範囲内にないと判定されると（ステップＳ３５でＮｏ）、制御はステップＳ３７に進む。ステップＳ３７にて、制御回路１１５は、ピーク値ＰＶが規定濃度値Ｄを超えているか否かを判定する。超えていると判定された場合（ステップＳ３７でＹｅｓ）、制御はステップＳ３９に進む。一方、ピーク値ＰＶが規定濃度値Ｄを超えていないと判定された場合（ステップＳ３７でＮｏ）、制御はステップＳ４１に進む。
【００７７】
ステップＳ３９では、制御回路１１５は、光源２１の発光部７１の光量を減少させる処理を実行する。具体的には、次の通りである。制御回路１１５は、発光部７１の光量が減少するように光量制御パラメーターを再設定し、光量制御パラメーターを内部メモリー１１７に格納する。つまり、制御回路１１５は、光量制御パラメーターが示す点灯期間を所定時間ｔｆだけ短くする。所定時間ｔｆは実験的及び／又は経験的に定められる。そして、制御回路１１５は、再設定した光量制御パラメーターに基づいて、発光部７１の光量を減少させるために光量制御回路１０７を制御する。
【００７８】
一方、ステップＳ４１では、制御回路１１５は、発光部７１の光量を増加させる処理を実行する。具体的には、次の通りである。制御回路１１５は、光量制御パラメーターを発光部７１の光量が増加するように再設定し、光量制御パラメーターを内部メモリー１１７に格納する。つまり、制御回路１１５は、光量制御パラメーターが示す点灯期間を所定時間ｔｆだけ長くする。そして、制御回路１１５は、再設定した光量制御パラメーターに基づいて光源２１の発光部７１の光量を増加させるために光量制御回路１０７を制御する。
【００７９】
以上、制御回路１１５は、ピーク値ＰＶが所定範囲内になるまで（ステップＳ３５でＹｅｓ）、ステップＳ３１〜ステップＳ４１の処理を繰り返し、ピーク値ＰＶが所定範囲内になったときの光量制御パラメーターを光沢物パラメーターとして設定し、光沢物パラメーターを内部メモリー１１７に格納する。そして、制御は、図４のステップＳ５に進む。
【００８０】
図３及び図４に戻って、光沢物読取処理の説明を続ける。ステップＳ５にて、制御回路１１５は、白基準部材１９を読み取り、白基準データを生成する。具体的には、制御回路１１５は、光沢物パラメーターに基づき光量が制御された光を白基準部材１９に照射するように光源２１を制御する。そして、制御回路１１５は、白基準部材１９を撮像するように撮像素子３５を制御し、さらに、白基準データを生成するように画像処理回路１１９を制御する。ステップＳ７にて、制御回路１１５は、消灯するように光源２１を制御し、さらに、黒基準データを生成するように画像処理回路１１９を制御する。
【００８１】
ステップＳ９にて、制御回路１１５は、被写体４０（例えば、光沢物）を読み取り、被写体４０の撮像データを取得する。具体的には、次の通りである。制御回路１１５は、光沢物パラメーターに基づき光量が制御された光を被写体４０に照射するように光源２１を制御する。そして、制御回路１１５は、被写体４０を撮像するように撮像素子３５を制御し、さらに、ＡＦＥ１０９を介して、被写体４０の撮像データを取得する。
【００８２】
ステップＳ１１にて、制御回路１１５は、被写体４０の撮像データに基づき画像データを生成するように画像処理回路１１９を制御し、さらに、画像データに対して画像処理を実行するように画像処理回路１１９を制御する。画像処理回路１１９は、処理後の画像データを外部メモリー１０３に格納する。画像処理は、例えば、シェーディング補正、γ補正、後述するＲＧＢバランスの調整である。制御回路１１５は、画像処理後の画像データに基づく画像を操作パネル１０４に表示する。そして、操作パネル１０４を介したユーザーからの指示を受けて、制御回路１１５は、画像を出力（例えば、印刷又は画像ファイルとして出力）する。
【００８３】
その後、制御回路１１５は、光源２１の光量を通常読取モードのために予め設定された光量に戻し、モードを通常読取モードに設定する。つまり、制御回路１１５は、光量制御パラメーターを、予め設定された通常読取モードのための値に設定し、モードを通常読取モードに設定する。あるいは、制御回路１１５は、光沢基準部材１７による光量制御と同様にして（図４のステップＳ３、図５）、白基準部材１９による光量制御を実行し、モードを通常読取モードに設定する。この場合は、図５のステップＳ３５及びステップＳ３７における規定濃度値Ｄは、通常読取モードのために設定された値になる。なお、通常読取モード時の光量制御パラメーターは、一定値に固定してもよい。
【００８４】
一方、通常読取モードでのステップＳ５〜ステップＳ１１の処理は、光源２１の発光部７１の光量以外は、光沢物読取モードでのステップＳ５〜ステップＳ１１の処理と同様であり、説明を省略する。
【００８５】
以上、本実施形態に係るコンピュータープログラムは、光源２１から光が照射された光沢基準部材１７を撮像素子３５に撮像させる手順（ステップＳ３１）と、撮像素子３５によって取得された撮像信号に基づいて光源２１の光量を制御する手順（ステップＳ３３〜ステップＳ４１）とをコンピューターである制御回路１１５に実行させる。
【００８６】
その結果、光沢物を被写体とする際に、被写体の読み取りの繰返し動作を発生させることなく、撮像素子３５の各画素（各受光素子）における電荷のオーバーフローを抑制できるとともに、ユーザーの作業効率の低下を抑制できる。
【００８７】
また、本実施形態に係るコンピュータープログラムは、光沢基準部材１７に基づき光量が制御された光を白基準部材１９に照射して、白基準部材１９に基づく白基準データを生成する手順（ステップＳ５）をさらに制御回路１１５に実行させる。従って、光沢物を被写体４０とする場合に好適に制御された光量の光に基づき、白基準データを生成できる。その結果、より高品質な光沢物の画像を生成できる。
【００８８】
［ＲＧＢバランスの調整］
次に、図４のステップＳ１１の画像処理の一例として、ＲＧＢバランスの調整処理を説明する。ＲＧＢバランスの調整はシェーディング補正に伴って実行される。ＡＦＥ１０９が出力した撮像データの各画素データはＲＧＢの各成分を含む。Ｒ成分、Ｇ成分、及びＢ成分を、それぞれ、Ｒ成分データ、Ｇ成分データ、及びＢ成分データと記載する。通常読取モードでは、画像処理回路１１９は、画素データのＲ成分データがＲ成分の白基準データを超える場合、白色を示す濃度データの極限値（真っ白＝２５５）にＲ成分データを設定することによって、画素濃度データのＲ成分とする。Ｇ成分及びＢ成分についても同じである。
【００８９】
ただし、光沢物読取モードでは、画像処理回路１１９は、次のようなＲＧＢバランスの調整を実行する。光沢基準部材１７に基づき光源２１の光量が制御されているが、被写体４０としての光沢物によっては、撮像データに含まれる画素データのＲ成分データ、Ｇ成分データ、及びＢ成分データの全部又は一部が白基準データを超える場合もある。そこで、画像処理回路１１９は、撮像データに含まれる画素データのＲ成分データ、Ｇ成分データ、及びＢ成分データのうち１つ又は２つが閾値データＴｈ（例えば、白基準データ）を超えた場合、当該画素データのＲ成分データ、Ｇ成分データ、及びＢ成分データを、白色を示す濃度データの極限値（真っ白＝２５５）に設定して、画素濃度データのＲ成分、Ｇ成分、及びＢ成分とする。その結果、ＲＧＢバランスが調整され、違和感の小さい、光沢物（被写体４０）の画像を生成できる。以下、図６を参照して理由を説明する。
【００９０】
図６（ａ）は、ＲＧＢバランスを調整していない画素濃度データの説明図である。図６（ｂ）は、ＲＧＢバランスを調整した画素濃度データの説明図である。図６（ａ）及び図６（ｂ）において、横軸は、撮像素子３５において主走査方向に沿ってライン状に配置された画素の位置を示し、縦軸は、画素濃度データに含まれるＲＧＢの各成分が示す濃度データを示す。曲線Ｒ１、曲線Ｇ１、及び曲線Ｂ１は、それぞれ、画素濃度データのＲ成分が示す濃度データ、Ｇ成分が示す濃度データ、及びＢ成分が示す濃度データである。図６（ａ）に示すように、領域Ａに配置された画素に対応する画素濃度データにおいて、Ｒ成分が示す濃度データが飽和している。一方、Ｇ成分及びＢ成分が示す濃度データは飽和していない。
【００９１】
ＲＧＢ成分のうち１色又は２色の濃度データが飽和すると、色のバランスが崩れてしまい、読み取った光沢物（被写体４０）の画像に違和感が発生する場合がある。そこで、図６（ｂ）に示すように、領域Ａに配置された画素に対応する画素濃度データのＲＧＢ成分の全てを、白色を示す濃度データの極限値に設定する。白色を示す濃度データの極限値は光沢に近い状態を表すので、ＲＧＢ成分の全てを極限値に設定することでＲＧＢバランスを調整して、光沢物（被写体４０）の画像に発生する違和感を抑制する。
【００９２】
以上のように、本実施形態では、画像処理回路１１９は、Ｒ成分データ、Ｇ成分データ、及びＢ成分データのうち少なくとも１つの色成分データが閾値データＴｈを超えたことに応じて、Ｒ成分データ、Ｇ成分データ、及びＢ成分データを白色を示す濃度データの極限値に設定することによって、ＲＧＢバランスの調整を実行する。
【００９３】
［光沢基準部材の他の例］
図７は、本発明の実施形態に係る光沢基準部材１７の他の例を示す模式図である。他の例に係る光沢基準部材１７０は、半球より小さい、球面形状の一部を有する。また、光沢基準部材１７０は、鉛直線に対して斜め下方向に向かって湾曲する形状を有する。
【００９４】
光沢基準部材１７０は、被写体４０が載置される面の法線方向（本実施形態では鉛直方向）に沿って、発光部７１から直接入射する光、反射部材７３から入射する光、及び反射部材７５から入射する光を反射する面を有する。光沢基準部材１７０からの反射光１７７のうち、鏡面反射光は、図２を参照して説明した光沢基準部材１７による反射光７７と比較して少ない。ただし、光沢基準部材１７０は、鉛直方向に沿って、２方向から入射する光を反射する。従って、１方向から入射した光の反射光と比較して、強度の高い反射光１７７を得ることができる。
【００９５】
断面三日月状の光沢基準部材１７０は、発光部７１に向かって凸状になるように形成される。他の例として、光沢基準部材１７０は、反射部材７５に向かって凸状になるように形成されてもよい。
【００９６】
光沢基準部材１７０は、例えば、金属を研磨することにより、又は合成樹脂若しくはガラスにメッキを施すことにより、白基準部材１９よりも、入射光に対する鏡面反射光の割合が大きくなるように形成される。光沢基準部材１７０の内部は、空洞であってもよいし、その他の構造を有してもよい。
【００９７】
以上、本実施形態によれば、光沢基準部材１７０は、曲面形状を有している。従って、発光部７１、反射部材７３、及び反射部材７５から照射された光が、鉛直方向に沿って反射される面を簡易に形成できる。また、光沢基準部材１７０は、球面形状の一部を有する。従って、光沢基準部材１７と同様に、コストの低減及び省スペース化を実現できる。
【００９８】
また、光沢基準部材１７０は、発光部７１が照射した光及び発光部７１とは異なる方向から反射部材７５が照射した光を鉛直方向に沿って反射する面を有する。従って、撮像素子３５は、光沢基準部材１７０から強度の高い反射光を受光できる。その結果、光沢物を被写体４０とする際に、撮像素子３５の各画素における電荷のオーバーフローを効果的に抑制できる。
【００９９】
［光源の他の例］
図８（ａ）及び図８（ｂ）は、本発明の実施形態に係る光源２１の他の例を示す模式図である。他の例に係る光源２１は、Ｒ（赤）成分の光を発光するＬＥＤ７１Ｒ（発光部）、Ｇ（緑）成分の光を発光するＬＥＤ７１Ｇ（発光部）、Ｂ（青）成分の光を発光するＬＥＤ７１Ｂ（発光部）を含む。他の例に係る光源２１は、図２の光源２１に代えて用いられる。
【０１００】
図８（ａ）の光源２１では、ライトガイド７２の両端部にＬＥＤ７１Ｒ、ＬＥＤ７１Ｇ、及びＬＥＤ７１Ｂが設けられている。ライトガイド７２は、主走査方向に沿って（Ｘ軸方向に沿って）延び、ＬＥＤ７１Ｒ、ＬＥＤ７１Ｇ、及びＬＥＤ７１Ｂの光を導く。ＬＥＤ７１Ｒ、ＬＥＤ７１Ｇ、及びＬＥＤ７１Ｂの光は、ライトガイド７２により、ライン状に均等に、光沢基準部材１７、白基準部材１９、又は被写体４０に照射される。なお、ライトガイド７２の一方の端部だけにＬＥＤ７１Ｒ、ＬＥＤ７１Ｇ、及びＬＥＤ７１Ｂを設けるようにしてもよい。
【０１０１】
図８（ｂ）の光源２１は、ＬＥＤ７１Ｒ、ＬＥＤ７１Ｇ、及びＬＥＤ７１Ｂの各々が、主走査方向に沿って（Ｘ軸方向に沿って）配置されることにより形成される。
【０１０２】
画像読取装置３が図８の光源２１を搭載する場合は、撮像素子３５に入力される前に反射光を色分解するためのカラーフィルターは不要である。例えば、ＬＥＤ７１Ｒ、ＬＥＤ７１Ｇ、及びＬＥＤ７１Ｂを異なるタイミングで発光し、撮像素子３５は、Ｒ成分の反射光、Ｇ成分の反射光、及びＢ成分の反射光を、異なるタイミングで受光する。この場合は、撮像素子３５は、ＲＧＢそれぞれに対して画素（受光素子）を設ける必要はない。
【０１０３】
制御回路１１５が、光沢基準部材１７に基づいて光源２１の光量を制御する場合は、ＬＥＤ７１Ｒ、ＬＥＤ７１Ｇ、及びＬＥＤ７１Ｂの各々に対して、光沢物パラメーターを設定して、ＬＥＤ７１Ｒ、ＬＥＤ７１Ｇ、及びＬＥＤ７１Ｂごとに光量を制御する。従って、制御回路１１５は、画素濃度データのＲ成分、Ｇ成分、及びＢ成分の各々に対して、図５の処理を実行する。つまり、制御回路１１５は、異なる色（Ｒ、Ｇ、Ｂ）ごとに撮像素子３５によって取得された光沢基準部材１７の撮像信号に基づいて、異なる色に対応するＬＥＤ７１Ｒ、ＬＥＤ７１Ｇ、及びＬＥＤ７１Ｂごとに光量を制御する。その結果、光沢物を被写体４０とする際に、異なる色ごとに、撮像素子３５の各画素における電荷のオーバーフローを抑制できる。
【０１０４】
なお、本発明は、上記の実施形態に限られるものではなく、その要旨を逸脱しない範囲で種々の態様において実施することが可能であり、例えば、以下のような変形も可能である。以下、光沢基準部材１７及び光沢基準部材１７０を含む本発明の実施形態に係る光沢基準部材を総称して「光沢基準部材Ｍ」と表記する。
【０１０５】
（１）図２及び図７の光沢基準部材Ｍは、半球より小さい球面形状の一部を有している例を示した。ただし、光沢基準部材Ｍの形状は、これらに限定されない。例えば、光沢基準部材Ｍは、曲面形状を有する。曲面形状は、例えば、球状、半球状、又は半球より大きい球面形状である。例えば、曲面形状は、円筒状、半円筒状、又は円筒を円筒の中心軸に沿った面により切断した形状である。この場合、光沢基準部材Ｍは、主走査方向に沿って延びるように形成される。
【０１０６】
（２）図３を参照して説明した実施形態では、発光部７１の光量を制御するための光量制御パラメーターは、発光部７１の点灯期間である場合を例示した。ただし、光量制御パラメーターは、点灯期間に限定されない。例えば、光量制御パラメーターは、発光部７１に供給する電流の電流値である。電流値が大きいほど発光部７１の光量は増加し、電流値が小さいほど発光部７１の光量は減少する。電流値を光量制御パラメーターにする場合は、例えば、発光部７１の点灯期間は一定値に固定する。また、例えば、光量制御パラメーターは、発光部７１の点灯期間と発光部７１に供給する電流の電流値との双方である。
【０１０７】
（３）図２及び図７の光沢基準部材Ｍの主走査方向に沿った長さは、被写体載置面の主走査方向に沿った長さより短い。被写体載置面は、コンタクトガラス１５の表面において、被写体４０の読み取りが可能な範囲の面である。一方、ミラー２３、ミラー２７、及びミラー２９の各々の主走査方向に沿った長さは、被写体載置面の主走査方向に沿った長さと同じ、又は若干長い。従って、撮像素子３５は、光沢基準部材Ｍを撮像する場合でも、光沢基準部材Ｍが存在しない領域も撮像している。その結果、撮像素子３５が出力する撮像信号には、光沢基準部材Ｍの像が含まれない多くの画素信号が含まれる。
【０１０８】
そこで、制御回路１１５は、撮像素子３５によって取得された撮像信号のうち、光沢基準部材Ｍの像を含む所定領域の撮像信号に基づいて、光源２１の発光部７１の光量を制御することもできる。その結果、制御回路１１５の処理量を低減できる。
【０１０９】
また、光源２１として、図８（ｂ）の光源２１を採用する場合、全ＬＥＤ７１Ｒ、全ＬＥＤ７１Ｇ、及び全ＬＥＤ７１Ｂのうち、光沢基準部材Ｍが存在する領域のＬＥＤ７１Ｒ、ＬＥＤ７１Ｇ、及びＬＥＤ７１Ｂだけを点灯させることもできる。その結果、消費電力を抑制できる。
【０１１０】
さらに、副走査方向と逆方向に光沢基準部材Ｍを走査する際に、光沢基準部材Ｍが存在する領域の全てを走査するのではなく、撮像素子３５が光沢基準部材Ｍからの鏡面反射光７７又は強度の高い反射光１７７を受光できる副走査方向に沿った領域だけを走査することもできる。その結果、光沢基準部材Ｍの走査時間を短縮できる。
【０１１１】
（４）図１では、光沢基準部材Ｍは、光沢基準部材Ｍとコンタクトガラス１５とで白基準部材１９を挟むように配置されている場合を例示した。ただし、光沢基準部材Ｍの配置は、図１に示した配置に限定されない。例えば、光沢基準部材Ｍは、白基準部材１９とコンタクトガラス１５との間に配置される。
【０１１２】
（５）図３の制御回路１１５は、操作パネル１０４を通じたユーザーの入力に従って、光量制御回路１０７に、光源２１の発光部７１から照射される光の光量を制御させることもできる。例えば、制御回路１１５は次の制御を実行する。制御回路１１５は、光沢物読取モードにおいて、図４のステップＳ１１における画像処理後の画像データに基づく画像を操作パネル１０４に表示する。この画像データは、光量制御後に撮像素子３５によって取得された撮像信号に基づく画像データである。そして、ユーザーは、操作パネル１０４に表示された画像を見て、操作パネル１０４から光量制御パラメーターを入力する。制御回路１１５は、ユーザーが入力した光量制御パラメーターに基づいて、光量制御回路１０７に、光源２１から照射される光の光量を制御させる。そして、制御回路１１５は、撮像素子３５に被写体４０（例えば、光沢物）を撮像させ、画像データを取得する。
【０１１３】
以上のように、制御回路１１５は、撮像素子３５によって取得された撮像信号に基づいて光源２１から照射される光の光量を制御した後、ユーザーからの入力に従って、光源２１から照射される光の光量を制御する。その結果、光量の微調整が可能となって、個々の被写体４０に応じて適切な光量を設定できる。
【０１１４】
（６）図３〜図５では、制御回路１１５が、ステッピングモーター１０５、光量制御回路１０７、撮像素子３５、ＡＦＥ１０９、及び操作パネル１０４を制御する場合を例示した。ただし、これらの要素は、１つの制御回路（コンピューター）によって制御される場合に限定されず、複数の制御回路（コンピューター）によって制御されてもよい。また、制御回路１１５と画像処理回路１１９とは、１チップに搭載されたが、異なるチップに形成されてもよい。つまり、本発明は、ハードウェアを分散して形成するか、ハードウェアを一体として形成するかに依存することはない。また、図３では、画像処理回路１１９は、制御回路１１５の制御を受けて動作する場合を例示した。ただし、画像処理回路１１９は、コンピュータープログラムを実行して、適宜、制御回路１１５と通信しながら、画像処理を実行してもよい。また、制御回路１１５は、印刷装置４の動作も制御したが、印刷装置４を制御する制御回路（コンピューター）を別個に設けてもよい。
【０１１５】
（７）図４及び図５の各ステップは、順番を特に明示していない限り、図示した順番に限定されない。
【０１１６】
（８）本実施形態の画像読取装置３では、カラーフィルター（図示せず）又はＬＥＤ７１Ｒ、ＬＥＤ７１Ｇ、及びＬＥＤ７１Ｂを使用し、被写体４０のカラー画像を取得した（例えば、図８参照）が、本発明の適用はカラー画像を読み取る場合に限定されない。カラーフィルター、並びにＬＥＤ７１Ｒ、ＬＥＤ７１Ｇ、及びＬＥＤ７１Ｂを使用することなく、画像読取装置３は、被写体４０のモノクローム画像を取得することもできる。
【０１１７】
（９）画像読取装置３は、撮像素子３５としてＣＣＤを用いるＣＣＤ方式を採用している。ただし、撮像素子３５としてＣＭＯＳイメージセンサーを用いるＣＩＳ（Ｃｏｎｔａｃｔ  Ｉｍａｇｅ  Ｓｅｎｓｏｒ）方式を採用することもできる。
【０１１８】
（１０）画像形成装置１は、複写機に限定されない。例えば、画像形成装置１は、複写機、プリンター、及び／若しくはファクシミリの機能を備えた複合機、又は、プリンター若しくはファクシミリである。画像読取装置３は、スキャナー単体として使用することもできる。
【産業上の利用可能性】
【０１１９】
本発明は、立体物の画像を読み取り可能な画像読取装置、及び画像読取装置を部品として含む画像形成装置の分野に利用可能である。
【符号の説明】
【０１２０】
１    画像形成装置
３    画像読取装置
７    画像形成部
１７    光沢基準部材
１９    白基準部材
２１    光源
３５    撮像素子
４０    被写体
７１    発光部
７３    反射板
７５    反射板
１０１    システムＬＳＩ
１０３    外部メモリー
１０４    操作パネル
１０５    ステッピングモーター
１０７    光量制御回路
１１５    制御回路
１１９    画像制御回路
１２１    画像処理メモリー
１７０    光沢基準部材
７１Ｒ    ＬＥＤ（Ｒ成分）
７１Ｇ    ＬＥＤ（Ｇ成分）
７１Ｂ    ＬＥＤ（Ｂ成分）
【図１】
2014236328.tif 000003
【図２】
2014236328.tif 000004
【図３】
2014236328.tif 000005
【図４】
2014236328.tif 000006
【図５】
2014236328.tif 000007
【図６】
2014236328.tif 000008
【図７】
2014236328.tif 000009
【図８】
2014236328.tif 000010